(57)【特許請求の範囲】
【請求項１】
移動体が所定の通信エリアに入ったときに狭域通信により情報の配信を受ける無線機と、該無線機にて受けた情報を保管する記憶装置とを備え、該記憶装置に保管された情報を表示し、選択された情報を再生させる情報保管・再生システムであって、
前記移動体には、ディスク型記憶媒体のチェンジャーを接続するためのチェンジャー用接続端子を有したオーディオ機器が設けられるとともに、前記無線機には、カードによる認証機能が備えられており、
前記記憶装置は、前記無線機にて受けた情報を圧縮あるいは暗号化された状態で前記チェンジャーでのディスクとトラックの番号に関連付けて管理するとともに、前記チェンジャー用接続端子に接続され、同記憶装置に保管されている情報の再生時には前記カードに記憶された解凍・復号キーに基づいて前記圧縮あるいは暗号化された情報を解凍あるいは復号化して前記オーディオ機器の表示部に表示させるとともに、前記オーディオ機器の操作部にて選択されたディスクとトラックの指定番号に応答する形で対応する情報を前記オーディオ機器に送る情報保管・再生システム。
【発明の詳細な説明】
【０００１】
【発明の属する技術分野】
この発明は情報の保管・再生システムに係り、詳しくは、例えば、自動車等の移動体において音楽等の情報（コンテンツ）の配信を受けて情報を保管し再生する場合に好ましいシステムである。
【０００２】
【従来の技術】
ＤＳＲＣ、Ｂｌｕｅｔｏｏｔｈ、ワイヤレスＬＡＮ等の狭域の通信によって、移動体側に情報配信を行う場合には、移動体側で配信情報を保管し、再生する必要がある。このためには、ファイル管理画面メニューが見え、このメニューの中から所望の選択をする手段が移動体側に必要となる。
【０００３】
しかし、このためには表示機能と入力機能が移動体に備わっている必要があるが、特に表示機器は高価であり、全ての移動体に搭載できるわけではない。情報配信システムを成功させるためには、この保管および再生のためのシステムを安価に提供することが必須となる。
【０００４】
【発明が解決しようとする課題】
そこで、この発明の目的は、簡素な移動体搭載機器にて情報の保管・再生を行うことができる情報保管・再生システムを提供することにある。
【０００５】
【課題を解決するための手段】
請求項１に記載の発明によれば、移動体が所定の通信エリアに入ったときに狭域通信により情報の配信を受ける無線機と、該無線機にて受けた情報を保管する記憶装置とを備え、該記憶装置に保管された情報を表示し、選択された情報を再生させる。ここで、前記移動体には、ディスク型記憶媒体のチェンジャーを接続するためのチェンジャー用接続端子を有したオーディオ機器が設けられるとともに、前記無線機には、カードによる認証機能が備えられている。そして、前記記憶装置は、前記無線機にて受けた情報を圧縮あるいは暗号化された状態で前記チェンジャーでのディスクとトラックの番号に関連付けて管理する。また前記記憶装置は、前記チェンジャー用接続端子に接続され、同記憶装置に保管されている情報の再生時には前記カードに記憶された解凍・復号キーに基づいて前記圧縮あるいは暗号化された情報を解凍あるいは復号化して前記オーディオ機器の表示部に表示させるとともに、前記オーディオ機器の操作部にて選択されたディスクとトラックの指定番号に応答する形で対応する情報を前記オーディオ機器に送る。
【０００６】
このようにして、移動体に新たに保管・再生のための専用機を搭載することなく、既に他の目的で搭載されている機器を利用して、簡素な移動体搭載機器にて情報の保管・再生を行うことができる。
【００１１】
【発明の実施の形態】
以下、この発明を具体化した実施の形態を図面に従って説明する。
図１には、本実施形態における移動体情報配信システム（情報保管・再生システム）の全体構成を示す。このシステムは移動体において無線機１０１にて音楽等の情報の配信を受けて当該情報をメモリボックス１０２に記憶保持し、必要なときにオーディオ機器１０３にて再生して利用するものである。
【００１２】
まず、概要について説明する。この場合、移動体として自動車を想定するとともに、狭域の無線通信としてＤＳＲＣ（Ｄedicated  Ｓhort  Ｒange  Ｃommunication）を想定している。
【００１３】
インフラ側（地上側）から車載機器側に情報配信を行う場合には、車載機器に次の機能が必要となる。
（１）．送受信をする無線機能
（２）．希望する情報のリストを見る表示機能
（３）．リストから配信を受けるものを選択する入力機能
（４）．配信情報を保管する機能
（５）．保管した配信情報のリストを見る表示機能
（６）．リストから再生するものを選択する入力機能
（７）．配信情報を再生する機能
この（１）〜（７）のうち一般的な車においては、ラジオ付きオーディオ機器が搭載されているだけである。これを前提に、最小限の車載機器の追加のみで情報配信を車の中で実現することがこのシステムを普及するために必要である。
【００１４】
前述の（１）の送受信をする無線機能は、新たに搭載せざるを得ない。
また、前述の（４）の配信情報を保管する機能、（５）の保管した配信情報のリストを見る表示機能、（６）のリストから再生するものを選択する入力機能、（７）の配信情報を再生する機能は、次の方法により既存の仕組みを利用して追加のコスト（ユーザー側のコスト負担）を低減することができる。
【００１５】
即ち、オーディオ機器は通常、ＣＤチェンジャーまたはＭＤチェンジャーを追加するための接続端子が用意されており、この端子（図１での符号１０３ｅ，１０３ｆ）を利用する。一方、（４）の配信情報を保管する機能については、そのための機器１０２を擬似的にオーディオ機器１０３から見てＣＤチェンジャーまたはＭＤチェンジャーとみなす構造とし設置する。配信情報保管機器１０２はＣＤまたはＭＤを挿入するがごとく１０ディスク９９トラックのファイル構造とする。これにより、オーディオ機器１０３においてＣＤチェンジャーまたはＭＤチェンジャーから曲を選択するように、（５）の保管した配信情報のリストを見る表示機能と、（６）のリストから再生するものを選択する入力機能を持たせることができる。
【００１６】
ここまでの説明を図２，３を用いて具体的に記述する。
図２は、既存の技術を説明するためのＤＳＲＣでの情報配信イメージ図であり、ガソリンスタンド、コンビニエンスストア等の駐車場にＤＳＲＣアンテナ５００を設置し、移動体である車の通信用車載機器５０１に情報配信を行うことができる。情報は情報配信センター５０２から送信される場合が多くこの情報が店舗サーバ５０３に保管される。そして、ＤＳＲＣアンテナ５００と通信用車載機器５０１との間で情報配信サービスを受けるとともに支払い等が行われる。
【００１７】
図３は、比較のための移動体情報配信システムにおけるインフラ側と車載側のシステム構成図である。ＤＳＲＣによってインフラ側（地上側）アンテナ５００から車載機器５０１に情報配信を行うためには、車載機器５０１に前述の（１）〜（７）の機能が必要であり、図３の例では、無線機５０１ａ、車載メモリ５０１ｂ、オーディオＰＣ（ＰＣ；パーソナルコンピュータ）５０１ｃの３つの機器構成でこれらの機能を全て持つことができる。この場合には、オーディオＰＣ５０１ｃがタッチパネル式ディスプレイ等の多くの機能を持つが、この場合には非常に高価なものとなり、システムが普及する上での障害となってくる。
【００１８】
そこで、図３に代わる構成として、本実施形態では図１の構成を採用している。
以下、図１に関して詳しく説明する。
【００１９】
図１において、自動車に搭載した狭域無線用車載機器１００として、リーダライタ付無線機１０１とメモリボックス１０２とオーディオ機器１０３とスピーカ１０４を備えている。一方、コンビニエンスストアやガソリンスタンドやカーディラー等の店舗においてインフラ側アンテナ２００が設置され、インフラ側アンテナ２００は店舗サーバ２０１と接続されている。店舗サーバ２０１はインターネット２０３を介して情報配信センター２０４と接続されている。情報配信センター２０４には情報コンテンツとして、音楽やニュースや英会話や画像データを用意しており、情報配信センター２０４の情報は店舗サーバ２０１にて保管され、車載機器１００に情報の配信が行われることになる。つまり、自動車に搭載した狭域無線機１０１がインフラ側アンテナ２００による所定の通信エリアに入った状態において当該狭域無線用車載機器１００に対しインフラ側アンテナ２００を通して狭域通信による情報の配信を受ける。
【００２０】
また、配信が行われる情報は、音楽、ニュース等の音となる情報を含む。つまり、このシステムを利用するのに、音楽配信の場合に特に効果を発揮する。なぜなら、画像等の配信に比べ再生時の表示機器の搭載は必須ではなく、車載での表示機器の搭載が不要になるからである。
【００２１】
さらに、車載機器１００であるメモリボックス１０２は、情報を保管するためのものであり、メモリボックス１０２が、ＣＤチェンジャーまたはＭＤチェンジャーの代わりとしてオーディオ機器１０３に接続されている。よって、メモリボックス１０２はオーディオ機器１０３から見てあたかもＣＤチェンジャーまたはＭＤチェンジャーと同等に接続されることになり、これにより、車載機器の簡素化が図られる。また、メモリボックス１０２には、バードディスクドライブ装置、あるいは、半導体メモリが使用できる記憶装置を用いている。
【００２２】
図４には、車載機器１００の詳しい構成を示す。
図４において、リーダライタ付無線機１０１は無線機１０１ａとＩＣカードリーダライタ１０１ｂからなる。メモリボックス１０２は、中央処理装置（ＣＰＵ）１０２ａとメモリ１０２ｂと解凍・復号回路１０２ｃとＤ／Ａ変換器１０２ｄを具備している。オーディオ機器１０３は、制御部１０３ａと表示部１０３ｂと操作部１０３ｃと音量・音質制御増幅部１０３ｄを具備している。オーディオ機器１０３にはＣＤチェンジャーまたはＭＤチェンジャーと接続するための接続端子１０３ｅ，１０３ｆが備えられており、本実施形態ではチャンジャー用接続端子１０３ｅ，１０３ｆを通してメモリボックス１０２が接続されている。そして、配信された音楽（コンテンツ）は接続端子１０３ｅを通してアナログデータとしてオーディオ機器１０３に送られ、また、メモリボックス１０２のＣＰＵ１０２ａとオーディオ機器１０３の制御部１０３ａとは接続端子１０３ｆを通して制御データのやり取りが行われる。
【００２３】
リーダライタ付無線機１０１の無線機１０１ａによって情報（コンテンツ）を受信すると、その情報はメモリボックス１０２のＣＰＵ１０２ａによりメモリ１０２ｂに保管される。ここで、情報を保管・記録することを考慮して、音楽の配信を受ける際には、曲のほか、曲のタイトル等の付加情報も同時に受け取るようにしている。また、メモリ１０２ｂでの情報はデジタル信号で、かつ、圧縮され暗号化された状態、即ち、解凍および復号化される前の状態で保管される。
【００２４】
なお、メモリ１０２ｂでの情報は圧縮のみされた状態、あるいは、暗号化のみされた状態で保管するようにしてもよい。
また、ＩＣカードリーダライタ１０１ｂにてＩＣカード１０５（図１参照）の認証データや解凍・復号キーが読み出されてメモリボックス１０２のＣＰＵ１０２ａに送られ、ＣＰＵ１０２ａにおいて認証等が行われる。つまり、ＩＣカード１０５には認証コードや解凍・復号キーが記憶されており、認証コードを用いて始めて機器の使用が許可されるとともに解凍・復号化を行なうことができる。このようなシステムとすることにより、所定のＩＣカード１０５を所持した者だけが音楽配信を受けることができるとともに音楽の再生を行うことができる。
【００２５】
また、オーディオ機器１０３の操作部１０３ｃはディスク選択用アップ・ダウンスイッチとトラック選択用アップ・ダウンスイッチを有し、これらスイッチは本来、ＣＤチェンジャーまたはＭＤチェンジャーにおけるディスク番号とトラック番号を選択して選曲を行うためのものである。オーディオ機器１０３の制御部１０３ａは操作部１０３ｃからの操作信号を入力するとともに、表示部１０３ｂに必要な表示動作を行わせる。また、オーディオ機器１０３の制御部１０３ａは、メモリボックス１０２からの情報（必要な情報）を音量・音質制御増幅部１０３ｄを介してスピーカ１０４に音として出力させるようになっている。
【００２６】
図５には、ＣＤチェンジャーまたはＭＤチェンジャーをオーディオ機器１０３に接続した場合における、ディスク番号とトラック番号を示す。ＣＤチェンジャーまたはＭＤチェンジャーにはディスクがｎ枚セットできるとともに各ディスクには１から最大９９までのトラックが用意されている。
【００２７】
図６（ａ）には、メモリボックス１０２のメモリ１０２ｂでの音楽の保管状態を示す。音楽は基本的に配信を受けた順に（アドレス番号順に）保管されている。メモリボックス１０２のＣＰＵ１０２ａは、情報（音楽）を、オーディオ機器１０３にＣＤチェンジャーまたはＭＤチェンジャーを接続したと想定した場合のチェンジャーでのディスクとトラックの番号に関連付けて管理しており、オーディオ機器１０３側で選択されたディスクとトラックの指定番号に応答する形で、対応するアドレスの情報（音楽）をオーディオ機器１０３側に送るようになっている。
【００２８】
配信された情報（コンテンツ）、つまり、メモリ１０２ｂに保管された音楽は次のようにして再生される。
オーディオ機器１０３から再生をしたい曲の選択はＣＤチェンジャーやＭＤチェンジャーと同じくディスクとトラックの番号を指定することにより行う。つまり、乗員がオーディオ機器１０３の操作部１０３ｃでのディスクとトラックの選択用アップ・ダウンスイッチの操作を開始すると、図４のＣＰＵ１０２ａは、図６（ｂ）に示すように選曲のための並び換えを行う。詳しくは、図６（ａ）に示す配信順にメモリ物理アドレスに並べられた音楽を、英語タイトル、片仮名タイトル、漢字タイトルの順とし、かつ、英語タイトルであればアルファベット順、片仮名タイトルであればアイウエオ順、漢字タイトルであればあいうえお順に、若いディスク番号の若いトラック番号から順に並び換える。そして、操作部１０３ｃのディスクとトラックの選択用アップ・ダウンスイッチを操作することで、順に楽曲が切り換えられて曲の選択が行われる。この選曲の際にオーディオ機器１０３の表示部１０３ｂにおいてディスク番号とトラック番号が表示される。このようにして、乗員は多数の楽曲のうちの聞きたい曲を簡単に選び出すことができる。
【００２９】
そして、乗員による選曲操作が終了すると、ＣＰＵ１０２ａは選択された曲データを、メモリ１０２ｂのアドレス番号から読み出して、図４の解凍・復号回路１０２ｃに送りデータの解凍および復号化を行い、さらに、Ｄ／Ａ変換器１０２ｄにおいてデジタル信号からアナログ信号に変換してオーディオ機器１０３に送る。制御部１０３ａは、送られてきたアナログ信号を音量・音質制御増幅部１０３ｄを介してスピーカ１０４から音として出力させる。
【００３０】
以上のごとく、本実施形態は次の特徴を有する。
（イ）図４のオーディオ機器１０３は、表示部１０３ｂと操作部１０３ｃを具備するとともに、データ選択機器を接続するための機能（具体的には、チェンジャー接続端子１０３ｅ，１０３ｆ）を有し、記憶装置としてのメモリボックス１０２を、オーディオ機器１０３に接続して、メモリボックス１０２で、音となる情報を保管するとともに、オーディオ機器１０３の表示部１０３ｂと操作部１０３ｃを用いて選択された情報をオーディオ機器１０３に送って再生するようにした。よって、簡素な車載機器にて情報の保管・再生を行うことができる。
（ロ）特に、狭域無線機１０１が、インフラ側アンテナ２００による所定の通信エリアに入った状態においてインフラ側アンテナ２００を通して狭域通信により情報の配信を受けるようにしたので、実用上好ましいものとなる。
（ハ）メモリボックス１０２は、図６（ａ）の状態から図６（ｂ）に示すように、情報の選択の際に選択しやすいように情報を並び換えるようにしたので、使い勝手がよい。
（ニ）図１のリーダライタ付無線機１０１（図４のＩＣカードリーダライタ１０１ｂ）を用いてＩＣカード１０５による認証機能を有するものとしたので、セキュリィ上、好ましい。
（ホ）図４のメモリボックス１０２は、デジタル情報を保管する機器１０２ｂと解凍・復号化する機器１０２ｃを一体化しており、Ｄ／Ａ変換器１０２ｄにてアナログ信号にした後に他の機器であるオーディオ機器１０３に送信するようにした。よって、配信されたデジタル情報の転送についての著作権の問題も含めたデータ管理上好ましいものである。
【００３１】
以下、応用例について説明する。
図１に代わる構成として、オーディオ機器にＣＤチェンジャーまたはＭＤチェンジャーを追加するための接続端子が用意されていない場合は、通常、ＣＤチェンジャーは音をＦＭ波に変換しオーディオ機器に送信し再生しており、この無線接続方法を利用する。即ち、図７に示すように、メモリボックス１０２にＦＭトランスミッタ１５０を接続し、ＦＭトランスミッタ１５０を用いてメモリボックス１０２の配信情報をＦＭ波にてオーディオ機器１５１に送り再生する。なお、図７にはリモコンセット１５２，１５３を用いて情報の再生を行う場合を示している。
【００３２】
また、これまでの説明においては、移動体として自動車を、狭域の無線通信としてＤＳＲＣを用いたが、自動車の他にも電車や船舶や航空機に適用したり、ＤＳＲＣの他にもＢｌｕｅｔｏｏｔｈ、ワイヤレスＬＡＮ等を用いてもよい。
【００３３】
さらに、オーディオ機器１０３はデータ選択機器を接続するための機能を有する必要があるが、この場合のデータ選択機器としてＣＤチェンジャーまたはＭＤチェンジャーを挙げたが、ＣＤやＭＤに代わる他のディスク型記憶媒体としてＤＶＤを用いるチェンジャー（ＤＶＤチェンジャー）を使用する場合に適用してもよく、さらに、チェンジャー以外にもテレビチューナであってもよい。テレビチューナの場合にはテレビチャンネルの切換え機能を有する。
【図面の簡単な説明】
【図１】  実施形態における移動体情報配信システムの全体構成図。
【図２】  既存の技術を説明するためのＤＳＲＣでの情報配信イメージ図。
【図３】  比較のための移動体情報配信システムにおけるインフラ側と車載側のシステム構成図。
【図４】  車載機器の構成を示す図。
【図５】  ディスクとトラックの関係を説明するための図。
【図６】  音楽情報の管理を説明するための図。
【図７】  車載通信機器の別例を説明するための構成図。
【符号の説明】
１００…狭域無線用車載機器、１０１…リーダライタ付無線機、１０２…メモリボックス、１０２ａ…中央処理装置（ＣＰＵ）、１０２ｂ…メモリ、１０２ｃ…解凍・復号回路、１０２ｄ…Ｄ／Ａ変換器、１０３…オーディオ機器、１０３ａ…制御部、１０３ｂ…表示部、１０３ｃ…操作部、１０３ｄ…音量・音質制御増幅部、１０３ｅ，１０３ｆ…チャンジャー用接続端子、１０４…スピーカ、１０５…ＩＣカード、２００…インフラ側アンテナ、２０１…店舗サーバ、２０３…インターネット、２０４…情報配信センター。
【図１】
0004032640.tif 000002
【図２】
0004032640.tif 000003
【図３】
0004032640.tif 000004
【図４】
0004032640.tif 000005
【図５】
0004032640.tif 000006
【図６】
0004032640.tif 000007
【図７】
0004032640.tif 000008